(57)【要約】【課題】ファンモータの回転数を制御する冷蔵庫において、２つの出力により駆動するファンモータの出力側が断線した場合、回転数異常を検知し、報知することにより安定した冷却能力をもった冷蔵庫を提供する。【解決手段】冷蔵庫２の電源投入時、第一のファン固定電圧出力手段３５によりファンモータ２２の駆動電圧ＤＣ１４Ｖを印加し、第一のファン回転数設定手段３２により規定の回転数Ｎｒの指令を出す。次に第一のファン回転数検出手段３１により第一のファンモータの回転数Ｎｐを検出し、第一のファン回転数設定手段３２により指定した回転数Ｎｒと第一のファン回転数検出手段３１により検出した回転数Ｎｐとの比較を第一のファン報知手段３４により行い、同一の場合は、通常冷蔵庫の運転制御を行う。また、同一でない場合は、異常としてファン報知手段３４により異常報知を行なった後、冷蔵庫の運転制御を行う。【選択図】図６
2005090913.tif 000002
【特許請求の範囲】
【請求項１】
ファンモータと、前記ファンモータに印加する電圧を調整して回転数制御を行う制御装置を備えた冷蔵庫において、前記制御装置は、前記ファンモータの出力をあたえる固定電圧出力手段と回転数を制御する可変電圧出力手段と、前記ファンモータの回転数を検出する回転数検出手段と、前記ファンモータの回転数設定手段と、前記回転数検出手段と前記回転数設定手段の演算によりファンモータの回転数異常を検出する回転数異常検出手段と、前記回転数異常検出手段により検出した異常を報知する報知手段を備え、前記ファンモータの前記固定電圧出力手段により一定電圧の固定電圧が印加され、次に前記可変電圧出力手段の可変電圧が印加されない一定期間に前記回転数検出手段の出力が前記回転数設定手段の出力と同一でない場合に異常と判断し、前記報知手段を動作させる異常検出動作を行うことを特徴とする冷蔵庫。
【請求項２】
制御装置の回転数異常検出手段の検出タイミングは、冷蔵庫のファンモータ駆動直後としたことを特徴とする請求項1記載の冷蔵庫。
【請求項３】
制御装置の回転数異常検出手段の検出タイミングは、冷蔵庫のファンモータ停止直前としたことを特徴とする請求項1記載の冷蔵庫。
【発明の詳細な説明】
【技術分野】
【０００１】
本発明は、ファンモータと、このファンモータの運転を制御する制御装置とを備えた冷蔵庫の回転数異常検出装置に関するものである。
【背景技術】
【０００２】
一般に従来の冷蔵庫は、断熱箱体の庫内が冷凍室や冷蔵室、野菜室で構成されており、各室の背方には冷却器と庫内ファンモータが設置され、冷却器からの冷気をファンモータが各室に循環して冷却を行っている。また、断熱箱体の下部には機械室が設けられ、前記冷却器と共に冷媒回路を構成する圧縮機や凝縮器と、この圧縮機や凝縮器を空冷する機械室ファンモータが設置されている。
【０００３】
そして近年では、各室内の温度に基づいて庫内ファンモータに印加する電圧、或いは凝縮器や圧縮機の温度に基づいて機械室ファンモータに印加する電圧等を可変して、各ファンモータの回転数を可変することにより、各温度に応じた適切な冷気循環、或いは、空冷を行っている。（例えば、特許文献１参照）
上記従来の冷蔵庫は、各ファンモータの回転数を検出する手段を備え、その検出結果に基づいて設定回転数にファンモータを調整するフィードバック制御を行って、より安定した冷却性能を確保することを目的としたものであり、各ファンモータは、省エネという観点からＰＷＭ制御を搭載したものが主流である。ＰＷＭ制御のファンモータの駆動は、パルス幅を変調することによりファンモータへの供給電圧をコントロールさせ回転数を得るもので、駆動をつかさどる一定電圧とその電圧をコントロールさせるための可変電圧の２つの出力から構成され、可変電圧の出力により回転数のフィードバック制御がおこなわれている。
【特許文献１】特開平１１−１０１５４２号公報
【発明の開示】
【発明が解決しようとする課題】
【０００４】
しかしながら、一般的に２つの出力により駆動する冷蔵庫のファンモータは、搭載機器への安全性という面から、駆動源である一定電圧が印加された状態で回転数制御を行う可変電圧回路が遮断された場合、ファンモータの駆動は、停止されず、回転数制御を行わない一定回転数で駆動する。よって冷蔵庫において万が一、一定電圧が印加された状態で可変電圧回路が断線等により遮断された場合、ファンモータは、回転数制御を行わず回転を行い、たとえば最大回転数で回転をつづけた場合、庫内ファンモータでは、冷蔵庫として過冷状態となり、機械室ファンモータでは騒音が大きくなるという問題がある。
【０００５】
本発明は上記の課題を解決するもので、２つの出力により駆動するファンモータの出力側が断線した場合、回転数異常を検知し、報知することにより安定した冷却能力をもった冷蔵庫を提供することを目的とする。
【課題を解決するための手段】
【０００６】
上記従来の課題を解決するために、本発明の冷蔵庫は、ファンモータと、前記ファンモータに印加する電圧を調整して回転数制御を行う制御装置を備えたものであり、前記制御装置は、前記ファンモータの出力をあたえる固定電圧出力手段と回転数を制御する可変電圧出力手段と、前記ファンモータの回転数を検出する回転数検出手段と、前記ファンモータの回転数設定手段と、前記回転数検出手段と前記回転数設定手段の演算によりファンモータの回転数異常を検出する回転数異常検出手段と、前記回転数異常検出手段により検出した異常を報知する報知手段を備え、前記ファンモータの前記固定電圧出力手段により一定電圧の固定電圧が印加され、次に前記可変電圧出力手段の可変電圧が印加されない一定期間に前記回転数検出手段の出力が前記回転数設定手段の出力と同一でない場合に異常と判断し、前記報知手段を動作させる異常検出動作を行うものである。
【０００７】
これによって、回転数を制御する可変電圧出力が断線等により遮断された場合、回転数の異常を異常検出手段により検出し、報知手段により外部へ報知することができる。
【０００８】
また、本発明の冷蔵庫は、制御装置の回転数異常検出手段の検出タイミングを、冷蔵庫のファンモータ駆動直後としたことを特徴とする請求項1記載のものである。
【０００９】
これによって、回転数を制御する可変電圧出力が断線等により遮断された場合の回転数異常検出は、ファンモータの慣性つまり回転しているファンモータの入力信号がＯＦＦとなった場合、ある一定時間だけ惰性で動く時間を考慮せずに、短時間で正確に検出できる。
【００１０】
また、本発明の冷蔵庫は、制御装置の回転数異常検出手段の検出タイミングを、冷蔵庫のファンモータ停止直前としたことを特徴とする請求項1記載のものである。
【００１１】
これによって、回転数を制御する可変電圧出力が断線等により遮断された場合の回転数異常検出は、ファンモータの停止直前に行うため、回転数制御に起因する可変電圧出力のみをＯＦＦにすることにより可能であり、異常検知後はファンモータが停止するため、検出制御を容易にすることができる。
【発明の効果】
【００１２】
本発明の冷蔵庫は、ファンモータと、前記ファンモータに印加する電圧を調整して回転数制御を行う制御装置を備えた冷蔵庫において、前記制御装置は、前記ファンモータの出力をあたえる固定電圧出力手段と回転数を制御する可変電圧出力手段と、前記ファンモータの回転数を検出する回転数検出手段と、前記ファンモータの回転数設定手段と、前記回転数検出手段と前記回転数設定手段の演算によりファンモータの回転数異常を検出する回転数異常検出手段と、前記回転数異常検出手段により検出した異常を報知する報知手段を備え、前記ファンモータの前記固定電圧出力手段により一定電圧の固定電圧が印加され、次に前記可変電圧出力手段の可変電圧が印加されない一定期間に前記回転数検出手段の出力が前記回転数設定手段の出力と同一でない場合に異常と判断し、前記報知手段を動作させる異常検出動作を行うものである。
【００１３】
これによって、回転数を制御する可変電圧出力が断線等により遮断された場合、回転数の異常を異常検出手段により検出し、報知手段により外部へ報知することができる。
【００１４】
また、本発明の冷蔵庫は、請求項1記載の発明において、制御装置の回転数異常検出手段の検出タイミングを、冷蔵庫のファンモータ駆動直後としたものである。
【００１５】
これによって、回転数を制御する可変電圧出力が断線等により遮断された場合の回転数異常検出は、ファンモータの慣性つまり回転しているファンモータの入力信号がＯＦＦとなった場合、ある一定時間だけ惰性で動く時間を考慮せずに、短時間で正確に検出できる。
【００１６】
また、本発明の冷蔵庫は、請求項1記載の発明において、制御装置の回転数異常検出手段の検出タイミングを、冷蔵庫のファンモータ停止直前としたものである。
【００１７】
これによって、回転数を制御する可変電圧出力が断線等により遮断された場合の回転数異常検出は、ファンモータの停止直前に行うため、回転数制御に起因する可変電圧出力のみをＯＦＦにすることにより可能であり、異常検知後はファンモータが停止するため、検出制御を容易にすることができる。
【発明を実施するための最良の形態】
【００１８】
請求項１に記載の発明は、ファンモータと、前記ファンモータに印加する電圧を調整して回転数制御を行う制御装置を備えた冷蔵庫において、前記制御装置は、前記ファンモータの出力をあたえる固定電圧出力手段と回転数を制御する可変電圧出力手段と、前記ファンモータの回転数を検出する回転数検出手段と、前記ファンモータの回転数設定手段と、前記回転数検出手段と前記回転数設定手段の演算によりファンモータの回転数異常を検出する回転数異常検出手段と、前記回転数異常検出手段により検出した異常を報知する報知手段を備え、前記ファンモータの前記固定電圧出力手段により一定電圧の固定電圧が印加され、次に前記可変電圧出力手段の可変電圧が印加されない一定期間に前記回転数検出手段の出力が前記回転数設定手段の出力と同一でない場合に異常と判断し、前記報知手段を動作させる異常検出動作を行うものであることから、回転数を制御する可変電圧出力が断線等により遮断された場合、回転数の異常を異常検出手段により検出し、報知手段により外部へ報知することができる。
【００１９】
請求項２に記載の発明は、請求項1記載の発明において、制御装置の回転数異常検出手段の検出タイミングは、冷蔵庫のファンモータ駆動直後としたものであり、回転数を制御する可変電圧出力が断線等により遮断された場合の回転数異常検出は、ファンモータの慣性つまり回転しているファンモータの入力信号がＯＦＦとなった場合、ある一定時間だけ惰性で動く時間を考慮せずに、短時間で正確に検出できる。
【００２０】
請求項３に記載の発明は、請求項1記載の発明において、制御装置の回転数異常検出手段の検出タイミングは、冷蔵庫のファンモータ停止直前としたものであり、回転数を制御する可変電圧出力が断線等により遮断された場合の回転数異常検出は、ファンモータの停止直前に行うため、回転数制御に起因する可変電圧出力のみをＯＦＦにすることにより可能であり、異常検知後はファンモータが停止するため、検出制御を容易にすることができる。
【００２１】
以下、本発明の実施の形態について、図面を参照しながら説明する。なお、この実施の形態によってこの発明が限定されるものではない。
【００２２】
（実施の形態１）
図１〜３は本発明の実施の形態１における冷蔵庫の風路構造の概略構成を示す正面断面図、側面断面図及び背面断面図である。
【００２３】
図１〜３において、冷蔵庫２には、冷却器２１、第一のファンモータ２２が備え付けられている。また冷蔵庫２には、圧縮機２３、第二のファンモータ２４が備え付けられている。
【００２４】
冷却器２１で冷却された冷気２５は第一のファンモータ２２により送風され、冷蔵庫２を循環する。それによって冷蔵庫２の庫内３は冷却される。また圧縮機２３の外郭部に、第二のファンモータ２４により風が送られる。それによって、圧縮機２３の外郭部の温度上昇が抑制される。
【００２５】
図４は、本発明の実施の形態１における冷蔵庫の制御装置のブロック図、図５は、本発明の実施の形態１における冷蔵庫のファンモータ駆動回路のブロック図、図６は、本発明の実施の形態１における冷蔵庫の制御装置の動作を説明するためのフローチャート、図７は、本発明の実施の形態１における冷蔵庫のファンモータ駆動回路の動作を説明するためのタイミングチャートである。
【００２６】
図４において、第一のファン回転数検出手段３１は、第一のファンモータ２２に内臓されたセンサーにより第一のファンモータ２２の回転数を検出するものであり、第二のファン回転数検出手段４１は、第二のファンモータ２４に内臓されたセンサーにより第二のファンモータ２４の回転数を検出するものである。第一のファン回転数設定手段３２は、第一のファンモータ２２の回転数を所定の回転数に設定するものであり、第二のファン回転数設定手段４２は、第二のファンモータ２４の回転数を所定の回転数に設定するものである。
【００２７】
第一のファン回転数異常検出手段３３は、第一のファン回転数検出手段３１により検出された第一のファンモータ回転数と第一のファン回転数設定手段３２により設定された所定の回転数との比較を行い、所定の回転数でない場合は、第一のファン報知手段３４に出力する。第ニのファン回転数異常検出手段４３は、第ニのファン回転数検出手段４１により検出された第ニのファンモータ回転数と第ニのファン回転数設定手段４２により設定された所定の回転数との演算を行い、所定の回転数でない場合は、第ニのファン報知手段４４に出力する。
【００２８】
第一のファン固定電圧出力手段３５は、第一のファンモータ２２の駆動を行なう電圧出力手段であり、第一のファン可変電圧出力手段３６は、第一のファンモータ２２の回転数を可変させるコントロール電圧出力手段である。第ニのファン固定電圧出力手段３６は、第ニのファンモータ２４の駆動を行なう電圧出力手段であり、第ニのファン可変電圧出力手段４６は、第ニのファンモータ２４の回転数を可変させるコントロール電圧出力手段である。
【００２９】
図５は、第一のファンモータ２２及び第二のファンモータ２４に内蔵された駆動回路のブロック図であり、モータ駆動部５０とモータ駆動をつかさどるドライバー部５１とモータ回転数をコントロールするコントロール部５２から構成され、回路の入力端子は、それぞれ固定電圧入力端子（Ｖｃｃ）５３、可変電圧入力端子（Ｖｓ）５４，回転数検出端子（ＦＧ）５５及びグランド端子（Ｇ）５６からなる。
【００３０】
以上のように構成された冷蔵庫の制御装置について、図４、図５、図６、図７を用いてその動作を説明する。
【００３１】
図６、図７において、冷蔵庫２の電源を投入後、まず第一のファン固定電圧出力手段３５によりファンモータ２２の駆動電圧ＤＣ１４Ｖを印加する（Ｖｃｃ端子５３とＧ端子５６）[Ｓｔｅｐ１]、次に第一のファン可変電圧出力手段３６によりファンモータ２２の回転数を可変させるコントロール電圧ＤＣ０Ｖを１秒間印加する（Ｖｓ端子５４とＧ端子５６）［Ｓｔｅｐ２］。第一のファン回転数設定手段３２により規定の回転数Ｎｒの指令を出し（Ｎｒ＝０）［Ｓｔｅｐ３］、次に第一のファン回転数検出手段３１により第一のファンモータの回転数Ｎｐを検出し（ＦＧ端子５５とＧ端子間）［Ｓｔｅｐ４］、第一のファン回転数設定手段３２により指定した回転数Ｎｒと第一のファン回転数検出手段３１により検出した回転数Ｎｐとの比較を第一のファン報知手段３４により行い（Ｎｒ＝０とＮｐの比較）を行い［Ｓｔｅｐ５］、同一の場合（Ｎｐ＝０）は、通常冷蔵庫の運転制御を行う［Ｓｔｅｐ６］。また、同一でない場合は、異常としてファン報知手段３４により異常報知を行なった［Ｓｔｅｐ７］後、通常冷蔵庫の運転制御を行う。次にファンモータが通常冷蔵庫の運転制御の中で停止状態になった場合、再度電源投入後のＳｔｅｐ１に戻るサイクルを行う。
【００３２】
そこで、Ｓｔｅｐ５又はＳｔｅｐ７の後、通常冷蔵庫の運転制御を行う場合は、図７のタイミングチャートの如く、一度、駆動電圧を２０ｍｓｅｃ間ＤＣ０Ｖとしファンモータ内部の制御回路をリセットした後、駆動電圧ＤＣ１４Ｖ印加につづき、コントロール電圧ＤＣ３．８Ｖを印加するものである。
【００３３】
尚、Ｓｔｅｐ１からＳｔｅｐ４までは、図７のタイミングチャートの如くＳｔｅｐ２のコントロール電圧０Ｖ印加後の１秒間である。
【００３４】
ここで、通常の冷蔵庫運転制御モードとは、冷蔵庫２の庫内３内の温度や外気温度等によりファンモータの回転数を可変させる等の制御をいう。
【００３５】
また、上記実施の形態１では、第一のファンモータ２２について詳細を説明したが、第二のファンモータ２４についても同様のフローチャート及びタイミングチャートによる説明のため省略する。
【００３６】
（実施の形態２）
図８は、本発明の実施の形態２における冷蔵庫の制御装置の動作を説明するためのフローチャート、図９は、本発明の実施の形態２における冷蔵庫のファンモータ駆動回路の動作を説明するためのタイミングチャートである。尚、実施の形態１と同一構成については詳細な説明は省略し、異なる部分についてのみ説明する。
【００３７】
図８、図９において、冷蔵庫２の電源を投入後、まず第一のファン固定電圧出力手段３５によりファンモータ２２の駆動電圧ＤＣ１４Ｖを印加する（Ｖｃｃ端子５３とＧ端子５６）[Ｓｔｅｐ１]、次に第一のファン可変電圧出力手段３６によりファンモータ２２の回転数を可変させるコントロール電圧ＤＣ３．８Ｖを印加させ（Ｖｓ端子５４とＧ端子５６）［Ｓｔｅｐ２］、その後通常の冷蔵庫の運転制御を行う。
【００３８】
ファンモータ停止１分前に、第一のファン可変電圧出力手段３６によりファンモータ２２の回転数を可変させるコントロール電圧ＤＣ０Ｖを1分間印加させ（Ｖｓ端子５４とＧ端子５６）［Ｓｔｅｐ３］、第一のファン回転数設定手段３２により規定の回転数Ｎｒの指令を出し（Ｎｒ＝０）［Ｓｔｅｐ４］、次に第一のファン回転数検出手段３１により第一のファンモータの回転数Ｎｐを検出し（ＦＧ端子５５とＧ端子間）［Ｓｔｅｐ５］、第一のファン回転数設定手段３２により指定した回転数Ｎｒと第一のファン回転数検出手段３１により検出した回転数Ｎｐとの比較を第一のファン回転数異常検出手段３３により行い（Ｎｒ＝０とＮｐの比較）を行い［Ｓｔｅｐ６］、同一の場合（Ｎｐ＝０）はファンモータを停止（Ｖｃｃ＝０）［Ｓｔｅｐ７］させ、同一でない場合は、異常としてファン報知手段３４により異常報知を行い［Ｓｔｅｐ８］、つづいてファンモータを停止（Ｖｃｃ＝０）させ、再度電源投入後のＳｔｅｐ１に戻るサイクルを行う。
【００３９】
尚、Ｓｔｅｐ５の回転数の検出は、ファンモータの慣性による回転を考慮し、図９のタイミングチャートの如くＳｔｅｐ３のコントロール電圧０Ｖ印加後５９秒後からの1秒間とする。
【００４０】
ここで、通常の冷蔵庫運転制御モードとは、冷蔵庫２の庫内３内の温度や外気温度等によりファンモータの回転数を可変させる等の制御をいう。
【００４１】
また、上記実施の形態２では、第一のファンモータ２２について詳細を説明したが、第二のファンモータ２４についても同様のフローチャート及びタイミングチャートによる説明のため省略する。
【産業上の利用可能性】
【００４２】
以上のように、本発明にかかる冷蔵庫は、ファンモータと、このファンモータに印加する電圧を調整して回転数制御を行う制御装置を備えたもので、回転数を制御する可変電圧出力が断線等により遮断された場合、回転数の異常を異常検出手段により検出し、報知手段により外部へ報知することが可能であり、結果として安定した冷却性能を得ることが出来るので、ファンモータと、このファンモータの運転を制御する制御装置とを備えた冷蔵庫への適用に加え、例えばエアコン等のファンモータを備えた他の冷凍空調機器にも適用できる。
【図面の簡単な説明】
【００４３】
【図１】本発明の実施の形態１の冷蔵庫の正面断面図
【図２】本発明の実施の形態１の冷蔵庫の側面断面図
【図３】本発明の実施の形態１の冷蔵庫の背面断面図
【図４】発明の実施の形態１における冷蔵庫の制御装置のブロック図
【図５】本発明の実施の形態１における冷蔵庫のファンモータ駆動回路のブロック図
【図６】本発明の実施の形態１における冷蔵庫の制御装置の動作を説明するためのフローチャート
【図７】本発明の実施の形態１における冷蔵庫のファンモータ駆動回路の動作を説明するためのタイミングチャート
【図８】本発明の実施の形態２における冷蔵庫の制御装置の動作を説明するためのフローチャート
【図９】本発明の実施の形態２における冷蔵庫のファンモータ駆動回路の動作を説明するためのタイミングチャート
【符号の説明】
【００４４】
２    冷蔵庫
２２    第一のファンモータ
２４    第二のファンモータ
３１    第一のファン回転数検出手段
３２    第一のファン回転数設定手段
３３    第一のファン回転数異常検出手段
３４    第一のファン報知手段
３５    第一のファン固定電圧出力手段
３６    第一のファン可変電圧出力手段
４１    第二のファン回転数検出手段
４２    第二のファン回転数設定手段
４３    第二のファン回転数異常検出手段
４４    第ニのファン報知手段
４５    第ニのファン固定電圧出力手段
４６    第ニのファン可変電圧出力手段
【図１】
2005090913.tif 000003
【図２】
2005090913.tif 000004
【図３】
2005090913.tif 000005
【図４】
2005090913.tif 000006
【図５】
2005090913.tif 000007
【図６】
2005090913.tif 000008
【図７】
2005090913.tif 000009
【図８】
2005090913.tif 000010
【図９】
2005090913.tif 000011